(57)【要約】【課題】ゴム部材を交換可能な回転盤及びこれを備える硬貨選別計数機を提供する。【解決手段】ディスク１２には、表面１２ａに対してディスク１２と同心円状に窪んだ第１窪み部１７が形成されている。第１窪み部１７には、その底部１７ａに対して窪んだ６個の円柱形状の第２窪み部１８がディスクの周方向に等間隔で形成されている。第２窪み部１８には、ゴム部材１３が嵌まっている。第１窪み部１７には、押さえ板部材１４が嵌まっている。第１窪み部１７に押さえ板部材１４を嵌める際には、各貫通孔１５に各ゴム部材１３の一部分が挿入されるように、押さえ板部材１４の周方向の位置を調節する。この状態で６本のねじを、各ねじ用貫通孔１６ａ及びねじ用窪み部１６ｂに挿入して締結することにより、押さえ板部材１４はディスク１２に固定される。【選択図】図３
2016148992.tif 000002
【特許請求の範囲】
【請求項１】
円板形状のディスクと、
少なくとも１つのゴム部材と、
該ゴム部材の一部分が挿入可能な貫通孔を有する板状の押さえ板部材と
を備え、
前記ディスクの一方の表面には、前記押さえ板部材が嵌まる第１窪み部が形成され、
該第１窪み部には、前記ゴム部材が嵌まる第２窪み部が形成され、
前記ゴム部材を前記第２窪み部に嵌めた状態で前記押さえ板部材を前記第１窪み部に嵌めて、前記押さえ板部材を前記ディスクに対して取り外し可能に固定すると、前記ゴム部材の一部が前記貫通孔に挿入されて前記ゴム部材の上面と前記押さえ板部材の一方の表面と前記ディスクの前記表面とが面一になるように、前記押さえ板部材が前記ゴム部材を前記ディスクに対して固定する回転盤。
【請求項２】
前記ゴム部材には、該ゴム部材の一部分が前記貫通孔に挿入されたときに前記押さえ板部材の他方の表面に接する当接部が設けられている、請求項１に記載の回転盤。
【請求項３】
硬貨が供給されるホッパーを備え、該ホッパーには、請求項１または２に記載の回転盤が回転可能に設けられている硬貨選別計数機。
【発明の詳細な説明】
【技術分野】
【０００１】
この発明は、硬貨選別計数機において硬貨が供給されるホッパーに設けられる回転盤及びこれを備える硬貨選別計数機に関する。
【背景技術】
【０００２】
従来の硬貨選別計数機が特許文献１に記載されている。この硬貨選別計数機は、硬貨が供給される円筒形状のホッパーを備え、このホッパーには、回転可能な円板形状の回転盤が設けられている。この回転盤の斜視図を図６に示す。回転盤１００は、円板形状の金属製のディスク１０１の一方の表面に、同心円状に円板形状のゴム部材１０２が焼き付け接着等により接着され、ディスク１０１の表面とゴム部材１０２の表面とが面一になるように形成されている。
【先行技術文献】
【特許文献】
【０００３】
【特許文献１】特開平６−１３１５３３号公報
【発明の概要】
【発明が解決しようとする課題】
【０００４】
しかしながら、ゴム部材１０２をディスク１０１に焼き付け接着すると、ゴム部材１０２が摩耗したときにゴム部材１０２のみの交換ができず、回転盤１００全体を交換しなければならないので、メンテナンスコストが高くなるという問題点があった。また、回転盤１００を製造するにあたりゴム部材１０２をディスク１０１に焼き付け接着すると、回転盤１００の製造コストが高くなるといった問題点もあった。
【０００５】
この発明はこのような問題点を解決するためになされたもので、ゴム部材を交換可能な回転盤及びこれを備える硬貨選別計数機を提供することを目的とする。
【課題を解決するための手段】
【０００６】
この発明に係る回転盤は、円板形状のディスクと、少なくとも１つのゴム部材と、ゴム部材の一部分が挿入可能な貫通孔を有する板状の押さえ板部材とを備え、ディスクの一方の表面には、押さえ板部材が嵌まる第１窪み部が形成され、第１窪み部には、ゴム部材が嵌まる第２窪み部が形成され、ゴム部材を第２窪み部に嵌めた状態で押さえ板部材を第１窪み部に嵌めて、押さえ板部材をディスクに対して取り外し可能に固定すると、ゴム部材の一部が貫通孔に挿入されてゴム部材の上面と押さえ板部材の一方の表面とディスクの表面とが面一になるように、押さえ板部材がゴム部材をディスクに対して固定する。
ゴム部材には、ゴム部材の一部分が貫通孔に挿入されたときに押さえ板部材の他方の表面に接する当接部が設けられていてもよい。
この発明に係る硬貨選別計数機は、硬貨が供給されるホッパーを備え、ホッパーには、上記回転盤が回転可能に設けられている。
【発明の効果】
【０００７】
この発明によれば、押さえ板部材が第１窪み部内に取り外し可能に固定されることによりゴム部材をディスクに対して固定するので、押さえ板部材を取り外せばゴム部材を交換することができる。
【図面の簡単な説明】
【０００８】
【図１】この発明の実施の形態に係る硬貨選別計数機の平面図である。
【図２】この発明の実施の形態に係る回転盤の斜視図である。
【図３】この実施の形態に係る回転盤の分解斜視図である。
【図４】図３のＩＶ−ＩＶ線に沿った断面図である。
【図５】この発明の実施の形態に係る回転盤の変形例の分解斜視図である。
【図６】従来の回転盤の斜視図である。
【発明を実施するための形態】
【０００９】
以下、この発明の実施の形態を添付図面に基づいて説明する。
図１に示されるように、硬貨選別計数機１０は、硬貨が供給される略円筒形状のホッパー１１と、ホッパー１１から排出される硬貨を搬送して硬貨を鑑別する硬貨鑑別部２０と、硬貨鑑別部２０から受け渡される硬貨を搬送して硬貨を種類別に選別する硬貨選別部３０とを有している。なお、ホッパー１１と、硬貨鑑別部２０と、硬貨選別部３０とはそれぞれ、略矩形の台２の上に設けられている。ホッパー１１の内部には、回転盤１１ａが回転可能に設けられている。また、ホッパー１１の側壁の一部には、出口１１ｂが形成されている。
【００１０】
硬貨鑑別部２０は、ホッパー１１の出口１１ｂから排出される硬貨を受け取る導入部２０ａと、導入部２０ａから硬貨を受け取るとともにその硬貨を硬貨選別部３０に受け渡すまで搬送する硬貨移動部２０ｂとを有している。導入部２０ａの一端には導入プーリ２４が設けられ、導入プーリ２４は、ホッパー１１の出口１１ｂに隣接されて配置されている。一方、導入プーリ２４に対して、導入部２０ａの他端には上流側第１プーリ２１が設けられている。導入プーリ２４と上流側第１プーリ２１との間には導入ベルト２５が架け渡されている。一方、上流側第１プーリ２１には、導入ベルト２５に隣接して鑑別部ベルト２３の一端が架け渡されている。そして、硬貨鑑別部２０には、鑑別部ベルト２３の他端が架け渡される下流側第１プーリ２２が設けられている。
【００１１】
また、硬貨選別計数機１０、硬貨移動部２０ｂによって搬送される硬貨を鑑別するための鑑別センサ４１が、硬貨鑑別部２０の硬貨移動部２０ｂに隣接して設けられている。さらに、鑑別部ベルト２３の下部の台２には硬貨排出口２９が形成されており、硬貨排出口２９に隣接して硬貨排出手段４２が設けられている。鑑別センサ４１は硬貨排出手段４２に電気的に接続されている。
【００１２】
硬貨鑑別部２０の下流側第１プーリ２２に隣接して、硬貨選別部３０の上流側第２プーリ３１が設けられている。また、硬貨選別部３０の下流側の端部には、下流側第２プーリ３２が設けられている。上流側第２プーリ３１と下流側第２プーリ３２との間には、互いに並行して延びる２本の選別部ベルト３３ａ，３３ｂが架け渡されている。選別部ベルト３３ａ，３３ｂの下部には、１円玉、５０円玉、５円玉、１００円玉、１０円玉及び５００円玉にそれぞれ対応した大きさの５個の硬貨選別口３５ａ〜３５ｅが、硬貨の搬送される経路上に並んで形成されている。具体的には、硬貨の直径は小径のものから順に、１円玉が２０ｍｍ、５０円玉が２１ｍｍ、５円玉が２２ｍｍ、１００円玉が２２．６ｍｍ、１０円玉が２３．５ｍｍ、５００円玉が２６．５ｍｍとなっている。従って、硬貨選別口３５ａ〜３５ｅは、これらの硬貨の大きさに合わせて、小径の硬貨から順次、硬貨選別口３５ａ〜３５ｅに選別されて落下するように形成されている。
【００１３】
図２に示されるように、回転盤１１ａは、円板形状の金属製のディスク１２と、６個のゴム部材１３と、各ゴム部材１３をディスク１２に対して固定する円板形状の金属製の押さえ板部材１４とを備えている。押さえ板部材１４は、ディスク１２の一方の表面１２ａ側にディスク１２と同心円状に設けられ、押さえ板部材１４の一方の表面１４ａは表面１２ａと面一になっている。また、押さえ板部材１４には、６つの貫通孔１５が押さえ板部材１４の周方向に等間隔で設けられており、貫通孔１５にはゴム部材１３の一部分が挿入されている。ゴム部材１３の上面１３ａは表面１４ａと面一になっている。さらに、押さえ板部材１４には、図示しないねじが挿入されるねじ用貫通孔１６ａが、隣り合う貫通孔１５，１５間にそれぞれ設けられている。
【００１４】
図３に示されるように、ディスク１２には、表面１２ａに対してディスク１２と同心円状に窪んだ第１窪み部１７が形成されている。第１窪み部１７には、その底部１７ａに対して窪んだ６個の円柱形状の第２窪み部１８がディスクの周方向に等間隔で形成されている。第２窪み部１８には、ゴム部材１３が嵌まっている。第１窪み部１７には、押さえ板部材１４が嵌まっている。第１窪み部１７に押さえ板部材１４を嵌める際には、各貫通孔１５に各ゴム部材１３の一部分が挿入されるように、押さえ板部材１４の周方向の位置を調節する。この位置で押さえ板部材１４を第１窪み部１７に嵌めたときに各ねじ用貫通孔１６ａに重なる位置に、第１窪み部１７の底部１７ａに対して窪んだねじ用窪み部１６ｂが底部１７ａに設けられている。図示しない６本のねじを、各ねじ用貫通孔１６ａ及びねじ用窪み部１６ｂに挿入して締結することにより、押さえ板部材１４はディスク１２に固定される。ねじを取り外せば、押さえ板部材１４はディスク１２から取り外すことができるので、押さえ板部材１４はディスク１２に対して取り外し可能に固定される。
【００１５】
図４に示されるように、ゴム部材１３は、円柱形状の第１部分１３ｃと、第１部分１３ｃの上部に同心円状に設けられて第１部分１３ｃの外径よりも小さな外径を有する円柱形状の第２部分１３ｄとを備えている。第１部分１３ｃと第２部分１３ｄとの境界には、第１部分１３ｃを取り囲むように、円環状の平面である当接部１３ｂが構成されている。第１部分１３ｃを第２窪み部１８に嵌めるとともに第２部分１３ｄを貫通孔１５に挿入させるように押さえ板部材１４を第１窪み部１７（図３参照）に嵌めると、押さえ板部材１４のもう一方の表面１４ｂに当接部１３ｂが接触するようになる。押さえ板部材１４を第１窪み部１７内に固定すると、ゴム部材１３を第２窪み部１８から外そうとしても当接部１３ｂが表面１４ｂに当たってゴム部材１３を第２窪み部１８から外せないので、ゴム部材１３はディスク１２（図３参照）に対して固定される。
【００１６】
次に、硬貨選別計数機１０の動作について説明する。
図１に示されるように、使用者が硬貨をホッパー１１に入れ、図示しない作動スイッチを押下すると、回転盤１１ａが回転を開始する。また、硬貨鑑別部２０の上流側第１プーリ２１、下流側第１プーリ２２及び導入プーリ２４が回転駆動し、鑑別部ベルト２３及び導入ベルト２５を流動させる。また、下流側第２プーリ３２が回転駆動し、選別部ベルト３３ａ，３３ｂを流動させる。次に、ホッパー１１に入れられた硬貨は、回転盤１１ａの回転による遠心力を受けて、出口１１ｂから排出され、導入ベルト２５に受け渡されて搬送される。そして、硬貨は導入ベルト２５から鑑別部ベルト２３に受け渡される。鑑別部ベルト２３によって搬送される硬貨は、鑑別センサ４１によって材質を鑑別される。この時、国内の正規の硬貨でないものは硬貨排出手段４２によって弾き飛ばされ、硬貨排出口２９より排出される。一方、国内の正規の硬貨は、鑑別部ベルト２３から硬貨選別部３０の選別部ベルト３３ａ，３３ｂに受け渡される。次に、硬貨は、選別部ベルト３３ａ，３３ｂによって搬送され、硬貨選別口３５ａ〜３５ｅにおいて、種類別に選別されて落下する。
【００１７】
硬貨選別計数機１０の使用期間が長くなると、硬貨との摩擦によってゴム部材１３が摩耗する。この実施の形態に係る硬貨選別計数機１０では、回転盤１０ａ全体を交換するのではなく、図３に示されるように、ディスク１２から押さえ板部材１４を取り外せば、ゴム部材１３のみを交換することができるので、メンテナンスコストを抑えることができる。また、回転盤１１ａの製造にあたり、ゴム部材１３をディスク１２に焼き付け接着する工程がなくなるので、回転盤１１ａの製造コストを低下することができる。
【００１８】
このように、押さえ板部材１４が第１窪み部１７内に取り外し可能に固定されることによりゴム部材１３をディスク１２に対して固定するので、押さえ板部材１４を取り外せばゴム部材１３を交換することができる。
【００１９】
この実施の形態では、ゴム部材１３の上面１３ａの形状が円であったが、多角形や楕円、不規則な形状等、任意の形状でもよい。また、回転盤１０ａに設けられるゴム部材の数も６個に限定するものではなく、１個でも、２個以上であってもよい。特に、ゴム部材が１個の場合の一例を図５に示す。回転盤５１ａは、円板形状の金属製のディスク５２と、円環板状のゴム部材５３と、ゴム部材５３をディスク５２に対して固定する円環板状の金属製の押さえ板部材５４とを備えている。押さえ板部材５４には、円形状の貫通孔５５が設けられており、貫通孔５５には、ゴム部材５３の一部分、すなわち第２部分５３ｄが挿入される。ゴム部材５３の第１部分５３ｃは第２窪み部５８に嵌まり、さらに押さえ板部材５４が第１窪み部５７に嵌まる。この状態で、ゴム部材５３の第１部分５３ｃと第２部分５３ｄとの境界において第１部分５３ｃを取り囲むように構成された円環状の平面である当接部５３ｂは、押さえ板部材５４の表面に接触する。押さえ板部材５４に設けられた４つのねじ用貫通孔５６ａ及び第１窪み部５７の底部５７ａに設けられた４つのねじ用窪み部５６ｂにそれぞれ、図示しないねじを挿入して締結することにより、ゴム部材５３がディスク５２に対して固定される。回転盤５１ａも、これらのねじを取り外せば、ディスク５２から押さえ板部材５４を取り外すことができるので、ゴム部材５３を交換することができる。
【符号の説明】
【００２０】
１０  硬貨選別計数機、１１  ホッパー、１１ａ，５１ａ  回転盤、１２，５２  ディスク、１２ａ  （ディスクの）表面、１３，５３  ゴム部材、１３ａ，５３ａ  （ゴム部材の）上面、１３ｂ，５３ｂ  当接部、１４，５４  押さえ板部材、１４ａ，１４ｂ  （押さえ板部材の）表面、１５，５５  貫通孔、１７，５７  第１窪み部、１８，５８  第２窪み部。
【図１】
2016148992.tif 000003
【図２】
2016148992.tif 000004
【図３】
2016148992.tif 000005
【図４】
2016148992.tif 000006
【図５】
2016148992.tif 000007
【図６】
2016148992.tif 000008